(57)【特許請求の範囲】
【請求項１】
１つ以上の無線通信受信機（110, 120）をウェイクアップするためのウェイクアップ信号を送信するように構成されたネットワークノードの方法であって、前記ウェイクアップ信号は、ウェイクアップ信号帯域幅（311, 331, 351）を有し、前記１つ以上の無線通信受信機のそれぞれは、無線通信デバイスに含まれており、かつ、前記ウェイクアップ信号の検出に応じて当該無線通信受信機をウェイクアップするように構成されたウェイクアップ無線機（105）と関連付けられており、前記方法は、
複数の前記無線通信デバイスのうちの少なくとも１つについて、当該無線通信デバイスに含まれる前記無線通信受信機と関連付けられた前記ウェイクアップ無線機の最大周波数誤差（333, 353）のインジケーションを取得すること（420）と、
前記最大周波数誤差に基づいて、前記ウェイクアップ信号専用の非データ送信帯域幅（354）を決定すること（430）と、
ウェイクアップ信号送信帯域幅を有するウェイクアップ信号送信周波数インターバルで、前記ウェイクアップ信号を送信すること（440）と、を含み、前記ウェイクアップ信号送信帯域幅は、前記非データ送信帯域幅以下である、方法。
【請求項２】
請求項１に記載の方法であって、前記最大周波数誤差の前記インジケーションを取得することは、複数の前記無線通信デバイスのうちの前記少なくとも１つから、前記最大周波数誤差を示すメッセージを受信すること（422）を含む、方法。
【請求項３】
請求項２に記載の方法であって、複数の前記無線通信デバイスのうちの前記少なくとも１つへ、前記最大周波数誤差を示す前記メッセージを求める要求を送信すること（421）を更に含む、方法。
【請求項４】
請求項１から３のいずれか１項に記載の方法であって、前記最大周波数誤差に基づいて前記非データ送信帯域幅を決定することは、前記非データ送信帯域幅を、前記ウェイクアップ信号帯域幅に前記最大周波数誤差の４倍を加えた帯域幅以上に決定することを含む、方法。
【請求項５】
請求項１から４のいずれか１項に記載の方法であって、前記非データ送信帯域幅が、前記ネットワークノードによって適用される総送信帯域幅よりも小さければ（445）、前記ウェイクアップ信号と同時にデータを送信すること（446）を更に含む、方法。
【請求項６】
請求項１から５のいずれか１項に記載の方法であって、前記ウェイクアップ信号帯域幅は、前記ウェイクアップ信号送信帯域幅より小さく（441）、前記方法は、送信前に前記ウェイクアップ信号を前記ウェイクアップ信号送信帯域幅に拡張すること（442）を更に含む、方法。
【請求項７】
請求項１から６のいずれか１項に記載の方法であって、前記ウェイクアップ信号送信帯域幅は、前記非データ送信帯域幅と等しい（443）、方法。
【請求項８】
請求項１から６のいずれか１項に記載の方法であって、前記ウェイクアップ信号送信帯域幅は、前記非データ送信帯域幅より小さく（443）、前記方法は、前記ウェイクアップ信号送信周波数インターバルのそれぞれの脇での信号送信を妨げるガードバンドを割り当てること（444）を更に含み、各ガードバンドは、ある帯域幅を有し、前記ガードバンドの前記帯域幅に前記ウェイクアップ信号送信帯域幅を加えた帯域幅は、前記非データ送信帯域幅と等しい、方法。
【請求項９】
請求項１から８のいずれか１項に記載の方法であって、前記インジケーションを取得することは、それぞれのウェイクアップ無線機のそれぞれの最大周波数誤差についての複数のインジケーションを取得することを含み、前記非データ送信帯域幅を決定することは、前記それぞれの最大周波数誤差のうちの最大のものを選択すること（431）と、前記選択された最大周波数誤差に基づいて前記非データ送信帯域幅を決定すること（432）と、を含む、方法。
【請求項１０】
請求項１から９のいずれか１項に記載の方法であって、前記非データ送信帯域幅を示す情報信号を、前記少なくとも１つの無線通信デバイスへ送信すること（433）を更に含む、方法。
【請求項１１】
無線通信デバイスに含まれる無線通信受信機（110, 120）をウェイクアップするための、ネットワークノードからのウェイクアップ信号を受信するように構成された当該無線通信デバイスの方法であって、前記無線通信受信機は、前記無線通信デバイスに含まれているウェイクアップ無線機（105）であって前記ウェイクアップ信号の検出に応じて前記無線通信受信機をウェイクアップするように構成された当該ウェイクアップ無線機と関連付けられており、前記方法は、
前記ウェイクアップ無線機の最大周波数誤差（333, 353）を示すメッセージを前記ネットワークノードへ送信すること（461）を含み、前記最大周波数誤差は、前記ウェイクアップ信号専用の非データ送信帯域幅（354）の、前記ネットワークノードによる決定のためのものである、方法。
【請求項１２】
請求項１１に記載の方法であって、前記ネットワークノードから、前記最大周波数誤差を示す前記メッセージを求める要求を受信すること（451）を更に含み、前記送信するステップは、当該要求に応じて実行される、方法。
【請求項１３】
請求項１１又は１２に記載の方法であって、更に、
前記ネットワークノードから、前記非データ送信帯域幅を示す情報信号を受信すること（463）と、
前記非データ送信帯域幅に基づいて、１つ以上のウェイクアップ無線機パラメータを適応させること（465）と、を更に含む、方法。
【請求項１４】
請求項１１から１３のいずれか１項に記載の方法であって、ウェイクアップ信号送信帯域幅を有するウェイクアップ信号送信周波数インターバルにおいて前記ウェイクアップ信号を受信すること（470）を更に含み、前記ウェイクアップ信号送信帯域幅は、前記非データ送信帯域幅以下である、方法。
【請求項１５】
請求項１から１４のいずれか１項に記載の方法であって、前記最大周波数誤差は、
前記ウェイクアップ無線機の局部発振器の最大周波数偏差、
前記ウェイクアップ無線機の周波数精度メトリック、
前記ウェイクアップ無線機のフィルタリング帯域幅、
最低限必要なガードバンドの帯域幅、
最低限必要なウェイクアップ信号帯域幅の拡張、
最低限必要な非データ送信帯域幅、及び
最低限必要な数のリソースユニット、
のうちの１つ以上を用いて示される、方法。
【請求項１６】
プログラム命令を含むコンピュータプログラムを有するコンピュータ読み取り可能媒体を含むコンピュータプログラムプロダクトであって、前記コンピュータプログラムは、データ処理ユニットにロード可能であり、前記コンピュータプログラムが前記データ処理ユニットによって実行されると、請求項１から１５のいずれか１項に記載の方法の実行を生じさせるように構成されている、コンピュータプログラムプロダクト。
【請求項１７】
１つ以上の無線通信受信機（110, 120）をウェイクアップするためのウェイクアップ信号を送信するように構成されたネットワークノードのための装置であって、前記ウェイクアップ信号は、ウェイクアップ信号帯域幅（311, 331, 351）を有し、前記１つ以上の無線通信受信機のそれぞれは、無線通信デバイスに含まれており、かつ、前記ウェイクアップ信号の検出に応じて当該無線通信受信機をウェイクアップするように構成されたウェイクアップ無線機（105）と関連付けられており、前記装置はコントローラ（520）を含み、当該コントローラは、
複数の前記無線通信デバイスのうちの少なくとも１つについて、当該無線通信デバイスに含まれる前記無線通信受信機と関連付けられた前記ウェイクアップ無線機の最大周波数誤差（333, 353）のインジケーションの取得と、
前記最大周波数誤差に基づく、前記ウェイクアップ信号専用の非データ送信帯域幅（354）の決定と、
ウェイクアップ信号送信帯域幅を有するウェイクアップ信号送信周波数インターバルでの前記ウェイクアップ信号の送信と、を生じさせるように構成されており、前記ウェイクアップ信号送信帯域幅は、前記非データ送信帯域幅以下である、装置。
【請求項１８】
請求項１７に記載の装置であって、前記コントローラは、複数の前記無線通信デバイスのうちの前記少なくとも１つからの、前記最大周波数誤差を示すメッセージの受信を生じさせることによって、前記最大周波数誤差の前記インジケーションの取得を生じさせるように構成されている、装置。
【請求項１９】
請求項１８に記載の装置であって、前記コントローラは更に、複数の前記無線通信デバイスのうちの前記少なくとも１つへの、前記最大周波数誤差を示す前記メッセージを求める要求の送信を生じさせるように構成されている、装置。
【請求項２０】
請求項１７から１９のいずれか１項に記載の装置であって、前記コントローラは、前記ウェイクアップ信号帯域幅に前記最大周波数誤差の４倍を加えた帯域幅以上への、前記非データ送信帯域幅の決定を生じさせることによって、前記最大周波数誤差に基づく前記非データ送信帯域幅の前記決定を生じさせるように構成されている、装置。
【請求項２１】
請求項１７から２０のいずれか１項に記載の装置であって、前記コントローラは更に、前記非データ送信帯域幅が、前記ネットワークノードによって適用される総送信帯域幅よりも小さければ、前記ウェイクアップ信号と同時のデータの送信を生じさせるように構成されている、装置。
【請求項２２】
請求項１７から２１のいずれか１項に記載の装置であって、前記ウェイクアップ信号帯域幅は、前記ウェイクアップ信号送信帯域幅より小さく、前記コントローラは更に、送信前に前記ウェイクアップ信号の前記ウェイクアップ信号送信帯域幅への拡張を生じさせるように構成されている、装置。
【請求項２３】
請求項１７から２２のいずれか１項に記載の装置であって、前記ウェイクアップ信号送信帯域幅は、前記非データ送信帯域幅と等しい、装置。
【請求項２４】
請求項１７から２２のいずれか１項に記載の装置であって、前記ウェイクアップ信号送信帯域幅は、前記非データ送信帯域幅より小さく、前記コントローラは更に、前記ウェイクアップ信号送信周波数インターバルのそれぞれの脇での信号送信を妨げるガードバンドの割り当てを生じさせるように構成されており、各ガードバンドは、ある帯域幅を有し、前記ガードバンドの前記帯域幅に前記ウェイクアップ信号送信帯域幅を加えた帯域幅は、前記非データ送信帯域幅と等しい、装置。
【請求項２５】
請求項１７から２４のいずれか１項に記載の装置であって、前記コントローラは、それぞれのウェイクアップ無線機のそれぞれの最大周波数誤差についての複数のインジケーションの取得を生じさせるように構成されており、前記コントローラは、前記それぞれの最大周波数誤差のうちの最大のものを選択することと、前記選択された最大周波数誤差に基づいて前記非データ送信帯域幅を決定することと、を生じさせることによって、前記非データ送信帯域幅の決定を生じさせるように構成されている、装置。
【請求項２６】
請求項１７から２５のいずれか１項に記載の装置であって、前記コントローラは更に、前記非データ送信帯域幅を示す情報信号の、前記少なくとも１つの無線通信デバイスへの送信を生じさせるように構成されている、装置。
【請求項２７】
請求項１７から２６のいずれか１項に記載の装置を含むネットワークノード。
【請求項２８】
無線通信デバイスに含まれる無線通信受信機（110, 120）をウェイクアップするための、ネットワークノードからのウェイクアップ信号を受信するように構成された当該無線通信デバイスのための装置であって、前記無線通信受信機は、前記無線通信デバイスに含まれているウェイクアップ無線機（105）であって前記ウェイクアップ信号の検出に応じて前記無線通信受信機をウェイクアップするように構成された当該ウェイクアップ無線機と関連付けられており、前記装置はコントローラ（620）を含み、当該コントローラは、
前記ウェイクアップ無線機の最大周波数誤差（333, 353）を示すメッセージの、前記ネットワークノードへの送信を生じさせるように構成されており、前記最大周波数誤差は、前記ウェイクアップ信号専用の非データ送信帯域幅（354）の、前記ネットワークノードによる決定のためのものである、装置。
【請求項２９】
請求項２８に記載の装置であって、前記コントローラは更に、前記ネットワークノードからの、前記最大周波数誤差を示す前記メッセージを求める要求の受信と、当該要求に応じた前記送信の実行と、を生じさせるように構成されている、装置。
【請求項３０】
請求項２８又は２９に記載の装置であって、前記コントローラは更に、前記ネットワークノードからの、前記非データ送信帯域幅を示す情報信号の受信と、前記非データ送信帯域幅に基づく、１つ以上のウェイクアップ無線機パラメータの適応と、を生じさせるように構成されている、装置。
【請求項３１】
請求項２８から３０のいずれか１項に記載の装置であって、前記コントローラは更に、ウェイクアップ信号送信帯域幅を有するウェイクアップ信号送信周波数インターバルにおける前記ウェイクアップ信号の受信を生じさせるように構成されており、前記ウェイクアップ信号送信帯域幅は、前記非データ送信帯域幅以下である、装置。
【請求項３２】
請求項２８から３１のいずれか１項に記載の装置を含む無線通信デバイス。
【発明の詳細な説明】
【技術分野】
【０００１】
本発明は、全体として無線通信の分野に関する。より具体的には、無線通信システムにおけるウェイクアップ信号の送信に関する。
【背景技術】
【０００２】
インターネット・オブ・シングス（ＩｏＴ）は、現在、接続されているデバイスの数を大幅に増やすと予想されている。これらのデバイスの多くは、非ライセンス帯域（例えば、２．４ＧＨｚの産業、科学及び医療（ＩＳＭ）帯域）で動作する可能性がある。また、従来はライセンス帯域でサポートされていたサービスのために非ライセンス帯域を使用する需要が高まっている。例えば、ライセンス帯域の標準仕様を従来開発してきた第３世代パートナシッププロジェクト（３ＧＰＰ）は、ＵＭＴＳ−ＬＴＥ（Universal Mobile Telecommunication Standard，Long Term Evolution）のバージョンが５ＧＨｚの非ライセンス帯域で動作する標準仕様を現在開発している。このため、非ライセンス周波数帯域は、増加する量のデバイス及びサービスに関連した通信に対応することが期待されうる。
【０００３】
無線通信デバイスに関連してしばしば望まれることは、消費電力を削減することである。ＩｏＴに関連する無線通信デバイスでは、消費電力を削減する必要性が特に顕著になる。これは、ＩｏＴデバイスの電源が、典型的には、めったに充電されたり交換されたりしない低エネルギーバッテリー、及び／又はデバイス自体によって収集されたエネルギー（太陽エネルギー等）に依存しうるためである。更には、ＩｏＴアプリケーションの場合、サポートされるデータレート（典型的にはピーク値と平均値の両方）が低いことがよくある。このため、ＩｏＴデバイスがデータを送信又は受信しているときではなく、デバイスがリスニングモードにあるときに、意図した受信機に対する信号があるか否かを判定するときに、電力のかなりの部分が消費される。これらの条件（低データレート及び限られた電源）は、通常、ウェイクアップ受信機とも称されるウェイクアップ無線機（ＷＵＲ：wake-up radio）の使用を動機付ける。
【０００４】
ＷＵＲは、関連付けられているメイン受信機よりも消費電力が少なく、適切な場合にメイン受信機をウェイクアップすることのみが目的のデバイスである。したがって、ＷＵＲを有するデバイスは、特定の条件下でＷＵＲによってスキャンが実行されうるため、メイン受信機をオンにして当該デバイスを対象とした潜在的な信号をスキャンする必要はない。典型的には、このような条件には、メイン受信機を対象とした信号に先立って送信されるウェイクアップ信号（ＷＵＳ：wake-up signal）が含まれる。そして、ＷＵＲは、ＷＵＳを検出することにより、メイン受信機が受信する信号があることを検出しうる。ＷＵＲは、ＷＵＳ検出に基づいて、メイン受信機を対象とした信号があると判定すると、メイン受信機（及び、場合によっては対応する送信機）をウェイクアップし、信号の受信用に通信リンクを確立しうる。ＷＵＲコンセプトの可能性は、例えば、ＩＥＥＥ８０２．１１標準化コミュニティ内で認識されている。
【０００５】
ＷＵＲコンセプトの使用に関する１つの懸念は、ＷＵＳに使用されるチャネルリソースは通常、データ送信に使用できないため、ＷＵＳ送信がシステム容量に重大な影響を与えうることである。この問題は、例えばＯＦＤＭ（直交周波数分割多重）又はＯＦＤＭＡ（直交周波数分割多元接続）を使用して、ＷＵＳとデータの同時送信を適用することによって少なくとも部分的に軽減でき、この場合に、ＷＵＳは一部のサブキャリアで送信され、データは他のサブキャリアで送信される。データはこのアプローチに従ってＷＵＳと多重化されるため、ＷＵＳがデータと同時には送信されないアプローチと比較して、チャネルリソースがより効率的に使用され、システム容量が改善されうる。ＷＵＳがデータと同時には送信されないアプローチと比較した、ＷＵＳとデータの同時送信の更なる利点は、ＷＵＳ送信と潜在的に干渉するデバイスであって何らかの搬送波感知多元接続／衝突回避を使用するデバイスが、チャネルがビジーであると判断し、干渉する送信の開始を延期する可能性が高くなることである。ＷＵＳとデータの同時送信は、ＷＵＲアプローチと（例えば、ＩＥＥＥ８０２．１１における）レガシーアプローチとの共存メカニズムも提供する。
【０００６】
ＷＵＳとデータの同時送信では、ＷＵＳがデータ送信に直交する場合（例えば、ＯＦＤＭ／ＯＦＤＭＡを使用する場合）、ＷＵＳによってデータの受信に生じる可能性のある干渉は無視できる場合がある。ただし、データ送信は、ＷＵＲのＷＵＳ受信を妨げる場合がある。この理由の１つは、ＷＵＲ設計の制約（例えば低消費電力）に起因して、ＷＵＲは通常、（例えば、従来のＯＦＤＭ復調を使用する）より精巧な受信機ができるようにはデータからＷＵＳを完全には分離できないことである。例えば、ＷＵＲ設計の制約に起因して、ＷＵＳ受信用の正確な周波数基準を生成することは困難（又は不可能）である可能性があり、これにより、本明細書において後述するように、同時に送信されるデータがＷＵＳ受信に干渉する可能性がある。更に、ＷＵＲの受信範囲は、多くの場合、メイン受信機よりもかなり小さくなる。この問題は、データよりもＷＵＳに低いシンボルレートを使用することによって少なくとも部分的に軽減できる。このため、ＷＵＲの性能は、通常、感度及び選択性の両方の点で、メイン受信機の性能よりも大幅に劣っている。
【０００７】
したがって、ＷＵＳと同時に送信されるデータによって生じる、ＷＵＲ受信に対する干渉を除去する（又は少なくとも抑える）ためのソリューションが必要である。
【発明の概要】
【０００８】
この明細書で使用される「備える、含む（comprises/comprising）」との用語は、記載された機能、整数、ステップ、又はコンポーネントの存在を特定するために使用されるが、１つ以上の他の機能、整数、ステップ、コンポーネント、又はそれらのグループの存在又は追加を排除するものではないことを強調する必要がある。
【０００９】
また、本明細書に記載の（例えば、ＩＥＥＥ８０２．１１に関連する）シナリオは、単に例示的な例であり、決して限定を意図するものではないことにも留意する必要がある。対照的に、実施形態は、ウェイクアップ信号及びデータの両方を送信するように送信機が構成される任意のシナリオに適用可能でありうる。
【００１０】
メイン受信機の設計と比較して、ＷＵＲの設計により、アーキテクチャの選択に関してより多くのバリエーションが可能になりうる。その例は、前述のように、基準周波数生成の精度に関するものである。例えば、あるアーキテクチャでは、非常に緩やかな基準周波数要求条件を使用して、非常に低い消費電力を実現できる。このようなアーキテクチャでは、通常、ＷＵＲのＷＵＳ検出部分より前にフィルタリングすることによって、同時に送信されるデータを除外することはできない。反対に、別のアーキテクチャ例では、非常に低い消費電力よりも性能を優先し、その結果として、より正確な基準周波数生成をサポートしうる。このようなアーキテクチャでは、通常、ＷＵＲのＷＵＳ検出部分より前にフィルタリングすることによって、同時に送信されるデータの少なくとも一部を除外できる。
【００１１】
ＷＵＲが有する特性（例えば、同時に送信されるデータをフィルタで除去する能力）に依存して、ＷＵＳをデータと多重化するための種々のアプローチが使用されうる。したがって、ＷＵＳと同時に送信されるデータによって生じる、ＷＵＲ受信に対する干渉を除去する（又は少なくとも抑える）ためのソリューションのバリエーションをサポートする必要もある。
【００１２】
いくつかの実施形態の目的は、上記の又は他の欠点の少なくともいくつかを解決又は軽減することである。
【００１３】
第１の態様によれば、これは、１つ以上の無線通信受信機をウェイクアップするための（ウェイクアップ信号帯域幅を有する）ウェイクアップ信号を送信するように構成されたネットワークノードの方法によって達成される。１つ以上の無線通信受信機のそれぞれは、無線通信デバイスに含まれ、かつ、ウェイクアップ信号の検出に応じて無線通信受信機をウェイクアップするように構成されたウェイクアップ無線機と関連付けられている。
【００１４】
本方法は、（無線通信デバイスの少なくとも１つについて）無線通信デバイスに含まれる無線通信受信機と関連付けられたウェイクアップ無線機の最大周波数誤差のインジケーションを取得することと、（最大周波数誤差に基づいて）ウェイクアップ信号専用の非データ送信帯域幅を決定することと、を含む。
【００１５】
本方法は更に、ウェイクアップ信号送信帯域幅を有するウェイクアップ信号送信周波数インターバルで、ウェイクアップ信号を送信することを含む。ウェイクアップ信号送信帯域幅は、非データ送信帯域幅以下である。
【００１６】
例えば、ＩＥＥＥ８０２．１１のコンテキストでは、ネットワークノードは、アクセスポイント（ＡＰ）であり、無線通信デバイスのそれぞれはステーション（ＳＴＡ）でありうる。
【００１７】
一般に、無線通信デバイスは、１つ以上の無線通信受信機を備えてもよく、ウェイクアップ無線機は、１つ以上の無線通信受信機と関連付けられてもよい。一例では、無線通信デバイスは、無線通信受信機に関連付けられたウェイクアップ無線機を有する、ちょうど１つの当該無線通信受信機を備えてもよい。他の例では、無線通信デバイスは、複数の無線通信受信機を備えてもよく、各無線通信受信機は、それに関連付けられた異なるウェイクアップ無線機を有する。更に別の例では、無線通信デバイスは、複数の無線通信受信機と１つ以上のウェイクアップ無線機とを備えてもよく、ウェイクアップ無線機の少なくとも１つが、複数の無線通信受信機に関連付けられている。
【００１８】
いくつかの実施形態によれば、本方法は、非データ送信帯域幅を示す情報信号を、少なくとも１つの無線通信デバイスへ送信することを更に含みうる。
【００１９】
いくつかの実施形態では、最大周波数誤差のインジケーションを取得することは、（複数の無線通信デバイスのうちの少なくとも１つから）最大周波数誤差を示すメッセージを受信することを含みうる。当該メッセージは、無線通信デバイスからネットワークノードへの任意の適切なシグナリングの一部として受信されうるか、又は、無線通信デバイスからネットワークノードへの個別のシグナリングの形式で受信されうる。例えば、当該メッセージは、無線通信デバイスの能力を指定するシグナリングの一部として受信されうる。そのようなシグナリングは、例えば、無線通信デバイスがネットワークノードに登録するときに起こりうる。いくつかの実施形態では、本方法は、最大周波数誤差を示すメッセージを求める要求を送信することを更に含みうる。その後、当該要求に応じてメッセージが受信されうる。
【００２０】
いくつかの実施形態によれば、最大周波数誤差に基づいて非データ送信帯域幅を決定することは、非データ送信帯域幅を、ウェイクアップ信号帯域幅に最大周波数誤差の４倍を加えた帯域幅以上に決定することを含みうる。より一般的には、非データ送信帯域幅は、いくつかの実施形態では、ウェイクアップ無線機の受信フィルタの帯域幅からウェイクアップ信号帯域幅を引いた帯域幅の２倍以上に決定されうる。いくつかの実施形態では、非データ送信帯域幅は、ウェイクアップ無線機の受信フィルタの帯域幅に最大周波数誤差の２倍を加えた帯域幅以上に決定されうる。
【００２１】
本方法は、いくつかの実施形態によれば、非データ送信帯域幅が、ネットワークノードによって適用される総送信帯域幅よりも小さければ、ウェイクアップ信号と同時にデータを送信することを更に含みうる。いくつかの実施形態では、本方法は、非データ送信帯域幅が、ネットワークノードによって適用される総送信帯域幅より小さくなければ、ウェイクアップ信号を非同時に送信することも含みうる。
【００２２】
本方法は、いくつかの実施形態によれば、ウェイクアップ信号と同時にデータを送信することを更に含んでもよく、同時送信は、ＷＵＳ検出前のフィルタリングによってデータを除外できないという仮定に基づいている。
【００２３】
データ及びウェイクアップ信号の同時送信は、例えば、ウェイクアップ信号に１つ以上のリソースユニット（ＲＵ）又は１つ以上のサブキャリアが割り当てられ、かつ、当該ウェイクアップ信号が、オンオフキーイング（ＯＯＫ；これは振幅シフトキーイング（ＡＳＫ）の特別なケースである）を使用して変調されるＯＦＤＭを使用することによって実現されうる。ネットワークノードによって適用される総送信帯域幅は、例えば、ネットワークノードによって現在適用されているＯＦＤＭ帯域幅を指しうる。ＯＦＤＭ復調の可能性を欠くウェイクアップ無線機は、典型的には、ＯＯＫ変調ウェイクアップ信号を含むそのようなＯＦＤＭ信号を、データによって引き起こされる可能性のあるノイズの影響を受けるＡＳＫ変調ウェイクアップ信号として把握しうる。
【００２４】
ウェイクアップ信号帯域幅は、典型的には、ウェイクアップ信号送信帯域幅に等しいか、それより小さくなる。ウェイクアップ信号帯域幅が、ウェイクアップ信号送信帯域幅より小さい場合、本方法は、送信前にウェイクアップ信号記ウェイクアップ信号送信帯域幅に拡張することを更に含みうる。そのような拡張は、任意の適切な方法で実行されうる。例えば、ＯＦＤＭ信号の生成に逆高速フーリエ変換（ＩＦＦＴ）が適用される場合、ウェイクアップ信号は、ウェイクアップ信号送信帯域幅に対応するＩＦＦＴのいくつかの入力タップに適用されうる。
【００２５】
ウェイクアップ信号送信帯域幅が非データ送信帯域幅に等しい場合、本方法は、非データ送信帯域幅全体にわたってウェイクアップ信号を送信することを含みうる。
【００２６】
ウェイクアップ信号送信帯域幅が非データ送信帯域幅よりも小さい場合、本方法は、ウェイクアップ信号送信周波数インターバルのそれぞれの脇に（信号送信を妨げる）ガードバンドを割り当てることを更に含みうる。各ガードバンドはある帯域幅を有しており、ガードバンドの当該帯域幅にウェイクアップ信号の送信帯域幅を加えた帯域幅は、非データ送信帯域幅に等しくなる。必ずというわけではないが、典型的には、２つのガードバンドの幅は等しい。
【００２７】
したがって、ＷＵＳはウェイクアップ信号帯域幅を初期的に有しており、非データ送信帯域幅が決定される。ＷＵＳが、その初期帯域幅（ウェイクアップ信号送信帯域幅がウェイクアップ信号帯域幅に等しい）で送信されうるか、又は、ＷＵＳが、拡張バージョン（ウェイクアップ信号の送信帯域幅がウェイクアップ信号帯域幅よりも大きい）で送信されうる。いずれにしても、ウェイクアップ信号の送信帯域幅が非データ送信帯域幅よりも小さい場合、非データ送信帯域幅が埋めるためにガードバンドが使用されうる。
【００２８】
いくつかの実施形態では、インジケーションを取得することは、それぞれのウェイクアップ無線機のそれぞれの（おそらく異なる）最大周波数誤差についての複数のインジケーションを取得することを含みうる。また、非データ送信帯域幅を決定することは、それぞれの最大周波数誤差のうちの最大のものを選択することと、当該選択された最大周波数誤差に基づいて非データ送信帯域幅を決定することと、を含みうる。これらの実施形態は、ウェイクアップ信号がいくつかのウェイクアップ無線機を対象としている場合に特に有益でありうる。
【００２９】
最大周波数誤差は、任意の適切な方法で示されうる。例えば、インジケーションは、
‐ウェイクアップ無線機の局部発振器の最大周波数偏差、
‐ウェイクアップ無線機の周波数精度メトリック、
‐ウェイクアップ無線機のフィルタリング帯域幅、
‐最低限必要なガードバンドの帯域幅、
‐最低限必要なウェイクアップ信号帯域幅の拡張、
‐最低限必要な非データ送信帯域幅、及び
‐（例えば、非データ送信帯域幅のために）最低限必要な数のリソースユニット、
のうちの１つ以上を用いて示されうる。
【００３０】
周波数関連の量（帯域幅、周波数インターバル、及び周波数誤差等）を測定又は標記するために使用されうる単位の例には、ヘルツ（Ｈｚ）、ＯＦＤＭのサブキャリア、及びリソース単位が含まれるが、これらに限定されない。
【００３１】
第２の態様は、無線通信デバイスに含まれる無線通信受信機をウェイクアップするための、ネットワークノードからのウェイクアップ信号を受信するように構成された当該無線通信デバイスである。無線通信受信機は、無線通信デバイスに含まれているウェイクアップ無線機であってウェイクアップ信号の検出に応じて当該無線通信受信機をウェイクアップするように構成された当該ウェイクアップ無線機と関連付けられている。
【００３２】
方法は、ウェイクアップ無線機の最大周波数誤差を示すメッセージを（ネットワークノードに）送信することを含み、最大周波数誤差は、ウェイクアップ信号専用の非データ送信帯域幅の、ネットワークノードによる決定のためのものである。
【００３３】
いくつかの実施形態では、本方法は、（ネットワークノードから）最大周波数誤差を示すメッセージを求める要求を受信することを更に含んでもよく、当該メッセージは、当該要求に応じて送信されてもよい。
【００３４】
いくつかの実施形態によれば、本方法は、ネットワークノードから、非データ送信帯域幅を示す情報信号を受信することと、非データ送信帯域幅に基づいて、１つ以上のウェイクアップ無線機パラメータを適応させることと、を更に含みうる。適応は、例えば、複数の使用可能なウェイクアップ無線機のうちの１つを選択することであって、当該複数のウェイクアップ無線機が、異なるウェイクアップ無線機パラメータ値を有する、選択すること、及び／又は、ウェイクアップ無線機のためのウェイクアップ無線機パラメータ設定を選択すること、を含みうる。ウェイクアップ無線機パラメータは、例えば、消費電力、最大周波数誤差、及びフィルタ帯域幅のうちの１つ以上に関連しうる。
【００３５】
いくつかの実施形態では、本方法は、ウェイクアップ信号送信帯域幅を有するウェイクアップ信号送信周波数インターバルにおいてウェイクアップ信号を受信することを更に含んでもよく、当該ウェイクアップ信号送信帯域幅は、非データ送信帯域幅以下である。
【００３６】
第３の態様は、プログラム命令を含むコンピュータプログラムを有するコンピュータ読み取り可能媒体を含むコンピュータプログラムプロダクトであり、当該コンピュータプログラムは、データ処理ユニットにロード可能であり、当該コンピュータプログラムがデータ処理ユニットによって実行されると、第１及び第２の態様のいずれかに係る方法の実行を生じさせるように構成されている。
【００３７】
第４の態様は、１つ以上の無線通信受信機をウェイクアップするための（ウェイクアップ信号帯域幅を有する）ウェイクアップ信号を送信するように構成されたネットワークノードのための装置である。１つ以上の無線通信受信機のそれぞれは、無線通信デバイスに含まれ、かつ、ウェイクアップ信号の検出に応じて無線通信受信機をウェイクアップするように構成されたウェイクアップ無線機と関連付けられている。
【００３８】
本装置は、（複数の無線通信デバイスのうちの少なくとも１つについて）無線通信デバイスに含まれる無線通信受信機と関連付けられたウェイクアップ無線機の最大周波数誤差のインジケーションの取得と、（最大周波数誤差に基づく）ウェイクアップ信号専用の非データ送信帯域幅の決定と、を生じさせるように構成されたコントローラを備える。コントローラは更に、ウェイクアップ信号送信帯域幅を有するウェイクアップ信号送信周波数インターバルでのウェイクアップ信号の送信を生じさせるように構成されており、当該ウェイクアップ信号送信帯域幅は、非データ送信帯域幅以下である。
【００３９】
本装置は、ネットワークノードの回路でありうる。
【００４０】
第５の態様は、第４の態様に係る装置を備えるネットワークノードである。
【００４１】
第６の態様は、無線通信デバイスに含まれる無線通信受信機をウェイクアップするための、ネットワークノードからのウェイクアップ信号を受信するように構成された当該無線通信デバイスのための装置である。無線通信受信機は、無線通信デバイスに含まれているウェイクアップ無線機であってウェイクアップ信号の検出に応じて当該無線通信受信機をウェイクアップするように構成された当該ウェイクアップ無線機と関連付けられている。
【００４２】
本装置は、ウェイクアップ無線機の最大周波数誤差を示すメッセージの（ネットワークノードへの）送信を生じさせるコントローラを備え、最大周波数誤差は、ウェイクアップ信号専用の非データ送信帯域幅の、ネットワークノードによる決定のためのものである。
【００４３】
本装置は、ネットワークノードの回路でありうる。
【００４４】
第７の態様は、第６の態様に係る装置を備える無線通信デバイスである。
【００４５】
いくつかの実施形態では、上記の態様のいずれかは、他の態様のいずれかについて上記で説明した様々な特徴のいずれかと同一の又は対応する特徴を更に有しうる。
【００４６】
いくつかの実施形態の利点は、ＷＵＳと同時に送信されるデータによって生じる、ＷＵＳ受信への干渉が最小化される（又は、ＷＵＳ及びデータの同時送信に対する他のいくつかのアプローチと比較して少なくとも低減される）ことである。
【００４７】
いくつかの実施形態の他の利点は、使用可能なスペクトルの効率的な使用が（同時送信の使用により）提供されるとともに、信頼性のあるＷＵＳ受信が（適切な非データ送信帯域幅の適用により）提供されることである。
【００４８】
いくつかの実施形態によれば、非データ送信帯域幅の適合性は、ＷＵＳが対象とする特定のＷＵＲの最大周波数誤差にフィットするように動的に決定され、これは、静的な最悪のケースの非データ送信帯域幅が適用される場合よりも、使用可能なスペクトルのより効率的な使用につながる。
【００４９】
いくつかの実施形態は、いくつかのＷＵＲを対象とするＷＵＳ送信も提供する。これらのＷＵＲの一部が異なる最大周波数誤差を有する場合に、適切な非データ送信帯域幅を決定するための基礎として最大周波数誤差が選択されうる。これにより、検討中のあらゆるＷＵＲによる信頼性のあるＷＵＳ検出が提供される。
【００５０】
いくつかの実施形態の更なる利点は、異なるＷＵＲアーキテクチャが効率的かつ確実に共存できることである。
【図面の簡単な説明】
【００５１】
更なる目的、特徴、及び利点は、添付の図面を参照した以下の実施形態の詳細な説明から明らかになるであろう。
【００５２】
【図１】図１は、いくつかの実施形態に係る例示的な無線通信デバイスの一部を示す概略ブロック図である。
【００５３】
【図２】図２は、いくつかの実施形態に係る例示的なウェイクアップ無線機を示す概略ブロック図である。
【００５４】
【図３】図３は、いくつかの実施形態に係る例示的な周波数インターバル及び帯域幅を示す概略図である。
【００５５】
【図４】図４は、いくつかの実施形態に係る例示的な方法ステップ及びシグナリングを示すフローチャート及びシグナリング図の組み合わせである。
【００５６】
【図５】図５は、いくつかの実施形態に係る例示的な装置を示す概略ブロック図である。
【００５７】
【図６】図６は、いくつかの実施形態に係る例示的な装置を示す概略ブロック図である。
【００５８】
【図７】図７は、いくつかの実施形態に係るコンピュータ読み取り可能媒体を示す概略図である。
【発明を実施するための形態】
【００５９】
以下では、ネットワークノードが、無線通信デバイスに含まれる無線通信受信機に関連付けられたウェイクアップ無線機（ＷＵＲ）の最大周波数誤差のインジケーションを取得する実施形態について説明する。ネットワークノードは、最大周波数誤差に基づいて非データ送信帯域幅を決定する。非データ送信帯域幅は、ＷＵＲを対象としたウェイクアップ信号（ＷＵＳ）専用であり、ＷＵＲは、ＷＵＳの検出に応じて無線通信受信機をウェイクアップするように構成されている。ＷＵＳは、非データ送信帯域幅以下のウェイクアップ信号送信帯域幅を有するウェイクアップ信号送信周波数インターバルで、ネットワークノードによって送信される。このアプローチは、信頼性のあるＷＵＳ受信が効率的に条件付けられた周波数リソースの使用を提供する。
【００６０】
いくつかの実施形態では、ＷＵＳ送信が、異なる最大周波数誤差に関連するいくつかのＷＵＲに対するものである場合、ネットワークノードは、最も大きい最大周波数誤差を選択し、当該選択に基づいて続行する。このアプローチは、関連する全てのＷＵＲで信頼性のあるＷＵＳ受信が効率的に条件付けられた周波数リソースの使用を提供する。
【００６１】
図１は、ウェイクアップ無線機（ＷＵＲ）１０５を備える無線通信デバイスのアーキテクチャ例１００を概略的に示している。このアーキテクチャは、１つ以上のメイン送受信機（ＴＸ／ＲＸ １、ＴＸ／ＲＸ ２）１１０，１２０も備えている。各メイン送受信機は、例えば、それぞれの受信／送信規格に対応していてもよい。この例では、両方のメイン送受信機が同じＷＵＲに関連付けられている。
【００６２】
アイドルモードで開始すると、スイッチ１０２は、メイン送受信機がそれぞれのスリープモードにある間には、アンテナ信号をＷＵＲに伝達する図１に示される位置になる。ＷＵＲはメイン送受信機のそれぞれについてのＷＵＳをスキャンし、ＷＵＲは、有効なＷＵＳを検出すると、対応するメイン送受信機をウェイクアップし、アンテナ信号がＷＵＲに代えてメイン送受信機に伝達されるようにスイッチ１０２の位置をシフトさせる。その後、ウェイクアップされたメイン送受信機は、スリープモードになるまで、標準化された通信を行い、スイッチ１０２の位置を図１に示される位置にシフトさせる。
【００６３】
図１の例は例示目的のために簡略化されており、必ずしも現実的な実装を表すものではないことを理解されたい。例えば、図１では、ＷＵＲ及び異なる複数のメイン送受信機に対して単一のアンテナが使用されるように示されており、ＷＵＲのみがアクティブであるか否かを示すためにスイッチが使用されている。他の実施形態では、複数のメイン送受信機が（例えば、異なる周波数帯域での動作に起因して）異なるアンテナを有してもよいし、ＷＵＲが別個のアンテナを有していて、スイッチは不要であってもよいし、又はそれらの両方であってもよい。
【００６４】
上記のように、ＷＵＲ設計は、通常、（非常に）低消費電力と受信性能との間のトレードオフの影響を受ける。例えば、ＷＵＲ内にＯＦＤＭ復調器を有することは、これにより性能が改善される可能性はあるものの、ＷＵＲの低消費電力の要求条件を考えると通常は不可能である。更に、低消費電力の要求条件は、ＷＵＲにおける周波数基準の生成の精度に影響を与える可能性がある。
【００６５】
図２は、いくつかの実施形態に係るＷＵＲアーキテクチャ例を概略的に示している。ＷＵＳと、当該ＷＵＳと同時に送信されるデータのように干渉する可能性のある信号とを含む受信信号が、低雑音増幅器（ＬＮＡ）２０２に入力される。ＬＮＡからの信号出力は、局部発振器（ＬＯ）２０４によって生成された基準周波数を使用してミキサ２０６によって混合（ダウンコンバート）される。上述のように、局部発振器２０４の基準周波数生成の精度は、ＷＵＲが従うべき消費電力要求条件に依存する可能性があり、その結果、より厳しい消費電力要求条件によって、通常、より低い基準周波数精度をもたらされる。
【００６６】
図２のアーキテクチャ例では、ミキサ２０６におけるダウンコンバージョンは、中間周波数（ＩＦ）へのダウンコンバージョンであり、ダウンコンバートされた信号は、中間周波数増幅器（ＩＦＡ）２０８への入力である。増幅後、当該ダウンコンバートされた信号は、ＷＵＳをフィルタリングするためのバンドパスフィルタ（ＢＰＦ）２１０に入力される。フィルタ２１０の通過帯域の帯域幅は、基準周波数の精度に依存する。フィルタの通過帯域がＷＵＳをキャプチャすることを確かにするには、通過帯域幅は、少なくともＷＵＳの帯域幅に基準周波数の最大偏差の２倍を加えたものでなければならない。
【００６７】
フィルタリングされた信号は、その後、図２のアーキテクチャ例における包絡線検出器（ＥＮＶ）２１２に入力される。その後、当該信号は、アナログ‐デジタル変換器（ＡＤＣ）２１４においてデジタル領域に変換され、ＷＵＳが、相関器（ＣＯＲＲ）２１６及びピーク検出器（ＤＥＴ）２１８を使用した相関処理によって検出される。
【００６８】
基準周波数の精度が低いほどフィルタ帯域幅が大きくなるように、フィルタ帯域幅が基準周波数の精度に依存すること（これは消費電力要求条件に依存する可能性がある）は、図２のＷＵＲアーキテクチャ例だけでなく適用される一般的な見解である。
【００６９】
ＷＵＲの消費電力要求条件に応じて、対応するＷＵＲアーキテクチャが選択されうる。消費電力の要求条件、及びそれによるＷＵＲアーキテクチャ（周波数基準の精度を含む）は、異なるＷＵＲと異なる無線通信デバイスとの間で異なりうる。ＷＵＳを送信するネットワークノードは、通常、異なる周波数基準の精度に対応する必要がある。１つの可能性は、最悪のシナリオに従ってＷＵＳ送信を設計することであり、これは通常、周波数リソースの利用に関する効率の低下につながる（例えば、非同時ＷＵＳ送信）。更に、このようなアプローチでは、消費電力が高いＷＵＲアーキテクチャは、性能ゲインなしで（又は非常に小さな性能ゲインで）電力を浪費する。
【００７０】
本発明の実施形態により、異なる周波数基準精度に対応するネットワークノードについての別の可能性が提供され、その場合に、ネットワークノードは、ＷＵＳが対象としているＷＵＲの最大周波数精度に基づいて、ＷＵＲ専用の帯域幅を動的に適応させる。
【００７１】
図３は、実施形態が適用されうる周波数領域シナリオの例を概略的に示している。このシナリオでは、ネットワークノードによって適用される総送信帯域幅３１２，３３２，３５２が複数のリソースユニット（ＲＵ）に分割されるＯＦＤＭアプローチを使用して、データと同時にＷＵＳが送信される。上述のように、データは通常、データ受信に使用されるＯＦＤＭ復調に起因してＷＵＳによる干渉は受けないが、この例により示されるように、データはＷＵＲにおけるＷＵＳ受信に対する干渉を生じさせる可能性がある。
【００７２】
パートａ）は、ＲＵ３０４における（ＷＵＳ帯域幅３１１を有する）ＷＵＳと、総送信帯域幅３１２に含まれる他の複数のＲＵ３０１，３０２，３０３，３０５，３０６，３０７におけるデータとの同時送信を示している。正確な基準周波数を生成する理想的なＷＵＲは、データによる干渉を受けることなく、（概略的な通過帯域３１０によって示されている）バンドパスフィルタによってＷＵＳをキャプチャできる可能性がある。しかし、上記で詳しく説明したように、ＷＵＲは通常、正確な基準周波数を生成しない。
【００７３】
パートｂ）も同様に、ＲＵ３２４における（ＷＵＳ帯域幅３３１を有する）ＷＵＳと、総送信帯域幅３３２に含まれる他の複数のＲＵ３２１，３２２，３２３，３２５，３２６，３２７におけるデータとの同時送信を示している。図３のこのパートでは、ＷＵＲに基準周波数誤差があることが想定されている。これは、（概略的な通過帯域３３０によって示されている）バンドパスフィルタの中心周波数が、最大基準周波数誤差に対応する量３３３だけシフトされることで示されている。バンドパスフィルタによってＷＵＳをキャプチャできるようにするには、パートａ）の理想的な状況と比較して通過帯域３３０を広げる必要がある。周波数誤差が正又は負のいずれかでありうることを考慮すると、通過帯域３３０の幅は、少なくともＷＵＳ帯域幅に最大基準周波数誤差の２倍を加えたものである必要がある。図３のパートｂ）の図から、通過帯域３３０のこの拡大により、バンドパスフィルタによって全データがフィルタリングされることにならなくなるのは明らかである。パートｂ）の特定の状況では、ＷＵＳ受信は、ＲＵ３２５及び（部分的に）ＲＵ３２６で送信されたデータからの干渉を受けることになる。
【００７４】
パートｃ）も同様にＷＵＳ及びデータの同時送信を示しているが、ここでは上記の問題を解決するためのいくつかの実施形態に従っている。（ＷＵＳ帯域幅３５１を有する）ＷＵＳがＲＵ３４４で送信され、ＷＵＲにはパートｂ）と同じ最大基準周波数誤差があることが想定されている。これは、（３３０に対応する、概略的な通過帯域３５０によって示されている）バンドパスフィルタの中心周波数が、最大基準周波数誤差に対応する量３５３だけシフトされることで示されている。周波数誤差が正又は負のいずれかでありうることを考慮すると、ＲＵ３４２，３４３，３４５及び３４６は、ＷＵＳ受信にデータが干渉することを避けるために、ＷＵＳ専用とされることが決定される。このため、データ送信は、非データ送信帯域幅３５４の外部でのみ（即ち、（ＲＵ３４１及び３４７でのみ）許可される。
【００７５】
ＲＵ３４２，３４３，３４５及び３４６は、ＷＵＳの周波数拡張バージョン、ガードバンド（シグナリングなし）、又はそれらの組み合わせを含んでもよい。例えば、ＷＵＳの周波数拡張バージョンがＲＵ３４３，３４４及び３４５で送信されてもよく、ＲＵ３４２及び３４６がガードバンドとして使用されてもよい。他の例では、ＷＵＳの周波数拡張バージョンがＲＵ３４２，３４３，３４４，３４５及び３４６で送信されてもよく、ＲＵはガードバンドとして使用されない。上述のように、ＷＵＳがデータに干渉することはないため、これはデータの観点から実行可能なソリューションである。更に、これは、ＷＵＳの拡張が、ＷＵＳ帯域幅に対応する拡張ＷＵＳの一部をキャプチャするための検出に十分であるという条件で、ＷＵＳの観点から実行可能なソリューションでもあり、例えば周波数領域における繰り返しにより実現されうる。
【００７６】
一般に、ＷＵＳは、ＷＵＳ帯域幅又はＷＵＳの周波数拡張バージョンの帯域幅に等しいＷＵＳ送信帯域幅を使用して送信され、ガードバンドの累積幅とＷＵＳ送信帯域幅は、非データ送信帯域幅に等しい。
【００７７】
また、一般的に、非データ送信帯域幅のサイズは、最大基準周波数誤差に依存する。典型的には、非データ送信帯域幅は、少なくとも通過帯域の２倍からＷＵＳ帯域幅を引いたものである必要があり、通過帯域は通常、少なくともＷＵＳ帯域幅に最大基準周波数誤差の２倍を加えたものである。その結果、典型的な非データ送信帯域幅は、ＷＵＳ帯域幅に最大基準周波数誤差の４倍を加えたものになりうる。
【００７８】
ネットワークノードがＷＵＳ送信にＯＦＤＭコンテキストを使用する状況例では、ＩＦＦＴのいくつかの入力タップをＷＵＳに割り当てることでＷＵＳを生成でき、入力タップの数はＷＵＳ帯域幅に対応する。あるいは、ＷＵＳは、別個に生成されるとともに、データを含み、かつ、非データ送信帯域幅に等しい信号ギャップを有する、同じく別個に生成された信号に追加されてもよい。
【００７９】
前者のＷＵＳ生成の例では、ＷＵＳのシンボルレートは、典型的には、データに使用されるＯＦＤＭシステムのシンボルレートと同じである。ＷＵＳは、オンオフキーイング（ＯＯＫ：On-Off keying）を用いて生成されうる。これは、（サイクリックプレフィックスを含む）１つのＯＦＤＭシンボルの全期間中にＷＵＳに割り当てられたサブキャリアをブランクにすることで論理０を生成し、（サイクリックプレフィックスを含む）１つのＯＦＤＭシンボルの期間中に、予め定められた（平均）電力を有する任意のコンスタレーションシンボル（例えばＱＡＭシンボル）を送信することで論理１を生成することによって実現できる。ＷＵＲでは、（ＯＯＫを使用した）ＷＵＳとデータとの同時送信は、典型的には、振幅シフトキーイング（ＡＳＫ）を使用するＷＵＳと、ノイズの原因となるデータとして認識される。
【００８０】
図４は、いくつかの実施形態に係る方法ステップ及びシグナリングの例を示すフローチャート及びシグナリング図の組み合わせである。例示的な方法４００は、ネットワークノード（ＮＷＮ）４１０によって実行され、ステップ４５１，４６１，４６３，４６５及び４７０は、無線通信デバイス（ＷＣＤ１）４５０によって実行されうるとともに、ステップ４８１及び４９１は、無線通信デバイス（ＷＣＤ２）４８０によって表される１つ以上の他の無線通信デバイスによって実行されうる。
【００８１】
ネットワークノード４１０は、１つ以上の無線通信受信機をウェイクアップするためにＷＵＳを送信するように構成されうる（図１の１１０，１２０と比較）。１つ以上の無線通信受信機のそれぞれは、無線通信デバイス４５０，４８０に含まれ、かつ、ＷＵＳの検出に応じて当該無線通信受信機をウェイクアップするように構成されたＷＵＲ（図１の１０５と比較）と関連付けられている。
【００８２】
方法４００は、それぞれの最大周波数誤差の１つ以上のインジケーション（図３の３３３，３５３と比較）が取得されるステップ４２０で開始する。各最大周波数誤差は、無線通信デバイスに含まれる無線通信受信機と関連付けられたそれぞれのＷＵＲについてのものである。前述のように、各無線通信デバイスは、１つ以上の無線通信受信機を備えてもよい。更に、各無線通信デバイスは、１つ以上のＷＵＲを備えてもよく、各ＷＵＲは、１つ以上の無線通信受信機と関連付けられてもよい。いくつかの実施形態では、単一のＷＵＲが、いくつかの可能性のあるパラメータ設定を有してもよく、それにより異なる複数の可能性のある最大周波数誤差がもたらされる。
【００８３】
取得される最大周波数誤差は、例えば、上記に例示されているように、いくつかの適切な方法のいずれかでそれぞれの無線通信デバイスによって報告されてもよい（オプションのステップ４２２，４６１，４９１も参照）。オプションのステップ４６１，４９１及び４２２で示されているように、（複数の）最大周波数誤差の（複数の）インジケーションは、（複数の）最大周波数誤差を示し、かつ、それぞれの無線通信デバイスから送信（４６１，４９１）された（複数の）メッセージを受信（４２２）することによって取得されてもよい。
【００８４】
いくつかの実施形態では、ステップ４２０は、ステップ４５１及び４８１で示されるように、要求の受信に応じて送信されるメッセージをトリガするために、複数の無線通信デバイスのうちの１つ以上に要求を送信（４２１）することをさらに含んでもよい。
【００８５】
図３を参照して、ＲＵは、典型的には、データのみ含むか、ＷＵＳのみ含むか、又は全く何も含まない（データもＷＵＳも含まない）ことに留意すると、いくつかの実施形態によれば、周波数精度（又は、それに対応して、最大周波数誤差）を報告するために使用される粒度は、ＲＵサイズにアラインされてもよい。
【００８６】
ステップ４２０で最大周波数誤差を取得するための代替又は追加のアプローチは、異なる複数のセットアップ（例えば、異なる複数の非データ送信帯域幅）と同時にＷＵＳ及びデータを送信するネットワークノードを含み、結果（例えば、ＷＵＳが、無線通信受信機をウェイクアップする所望の効果を有するか否か）を評価して、最大周波数誤差を決定（又は推定）してもよい。
【００８７】
例えば、典型的には総帯域幅のうちのできるだけ大きな部分をデータに割り当てることが望ましいため、ネットワークノードは、最初に最小の非データ送信帯域幅を使用してデータと同時にＷＵＳを送信し、ＷＵＳの必要な再送信ごとに非データ送信帯域幅を増加させる。そのようなアプローチでは、ネットワークノードは、対象となるＷＵＲがＷＵＳを検出するまでＷＵＳを再送信してもよく、その後、ＷＵＲの最大周波数誤差が最新の再送信に使用される非データ送信帯域幅に対応する値を有すると想定してもよい。ステップ４３０において、ネットワークノードは、（複数の）最大周波数誤差に基づいて非データ送信帯域幅（ＮＤ ＴＸ ＢＷ、図３の３５４と比較）を決定し、ここで、当該非データ送信帯域幅はＷＵＳ専用である。例えば、非データ送信帯域幅は、ＷＵＳ帯域幅（図３の３１１，３３１，３５１と比較）に最大周波数誤差の４倍を加えたもの以上に決定されうる。より一般的には、非データ送信帯域幅は、ＷＵＲ（図３の３３０，３５０と比較）の受信フィルタの帯域幅からＷＵＳ帯域幅を引いたもの以上に決定されうる。
【００８８】
ステップ４３０における決定に使用される最大周波数誤差は、典型的には、ＷＵＳが送信される送信先のＷＵＲの誤差である。ＷＵＳがいくつかのＷＵＲへ送信される場合、非データ送信帯域幅の決定は、オプションのステップ４３１により示されるように、それぞれの最大周波数誤差のうちの最大のものを選択することと、オプションのステップ４３２により示されるように、選択した最大周波数誤差に基づいて非データ送信帯域幅を決定することを含みうる。
【００８９】
（ステップ４３１及び４３２により表される実施形態と組み合わせてもよいし組み合わせなくてもよい）いくつかの実施形態において、ネットワークノードは、ＷＵＳ送信に使用する非データ送信帯域幅を通知するために、複数の無線通信デバイスうちの１つ以上へ情報信号を送信する（４３３）。情報信号が無線通信デバイスで受信されると（オプションのステップ４６３）、オプションのステップ４６５により示されるように、当該デバイスは、それに応じて適応してもよい。適応は、例えば、複数の使用可能なＷＵＲのうちの１つを選択すること、及び／又はＷＵＲのための特定のパラメータ設定を使用することを含み得る。
【００９０】
最大周波数誤差を取得するための異なるセットアップでＷＵＳ及びデータが同時に送信される場合、同様の非データ送信帯域幅の情報信号が、ステップ４２０でオプションとして使用されてもよい。
【００９１】
次に、ステップ４４０で、非データ送信帯域幅以下のＷＵＳ送信帯域幅（ＷＵＳ ＴＸ ＢＷ）を有するＷＵＳ送信周波数インターバルで、ＷＵＳが送信される。ＷＵＳ送信は、オプションのステップ４７０により示されるように、複数の無線通信デバイスのうちの１つ以上によって受信されてもよい。
【００９２】
ＷＵＳ送信帯域幅（ＷＵＳ ＴＸ ＢＷ）がＷＵＳ帯域幅（ＷＵＳ ＢＷ）よりも大きい場合（オプションのステップ４４１からのＹパス出力）、オプションのステップ４４２により示されるように、ＷＵＳの周波数を拡張して、ＷＵＳ送信帯域幅が埋められてもよい。例えば、ＷＵＳを含むＯＦＤＭ信号の生成にＩＦＦＴが使用される場合、当該拡張は、ＷＵＳ帯域幅ではなくＷＵＳ送信帯域幅に対応するために、ＷＵＳに使用されるＩＦＦＴの入力タップの数を増やすことを含みうる。拡張後、及びＷＵＳ送信帯域幅がＷＵＳ帯域幅より大きくない場合（オプションのステップ４４１からのＮパス出力）、本方法は、オプションのステップ４４３に進みうる。
【００９３】
ＷＵＳ送信帯域幅（ＷＵＳ ＴＸ ＢＷ）が非データ送信帯域幅（ＮＤ ＴＸ ＢＷ）に等しい場合（オプションのステップ４４３からのＹパス出力）、本プロセスは、直接オプションのステップ４４５に進む。ＷＵＳ送信帯域幅（ＷＵＳ ＴＸ ＢＷ）が非データ送信帯域幅（ＮＤ ＴＸ ＢＷ）に等しくない（即ち、ＮＤ ＴＸ ＢＷ未満である）場合（オプションのステップ４４３からのＮパス出力）、本プロセスがオプションのステップ４４５に進む前に、信号が送信されないガードバンドが、オプションのステップ４４４でＷＵＳのそれぞれの脇に割り当てられる。ガードバンドの幅にＷＵＳ送信帯域幅を加えた幅は、非データ送信帯域幅に等しくなる。ネットワークノードがＷＵＳ送信にＯＦＤＭコンテキストを使用する状況例では、ＩＦＦＴのいくつかの入力タップをガードバンド（信号なし又はゼロの入力）に割り当てることにより、ガードバンドが生成されうる。ここで、入力タップの数は、ガードバンドの幅に対応し、ＷＵＳに割り当てられた入力タップのそれぞれの脇に割り当てられる。
【００９４】
オプションのステップ４４５では、非データ送信帯域幅（ＮＤ ＴＸ ＢＷ）がネットワークノードによって適用される総送信帯域幅（総ＴＸ ＢＷ；図３の３１２，３３２，３５３と比較）より小さいか否かが判定される。その場合（オプションのステップ４４５からのＹパス出力）、オプションのステップ４４６により示されるように、ＷＵＳは、データと同時に送信される。それ以外の場合（オプションのステップ４４５からのＮパス出力）、オプションのステップ４４７に示されるように、ＷＵＳは、非同時に送信される。
【００９５】
図５は、ネットワークノードの例示的な装置５００の概略図であり、図６は、無線通信デバイスの例示的な装置６００の概略図である。例えば、装置５００は、図４のネットワークノード４１０に含まれてもよく、装置６００は、図４の無線通信デバイス４５０，４８０のうちの１つ以上に含まれてもよい。
【００９６】
装置５００は、コントローラ（ＣＮＴＲ）５２０を含む。当該装置は、送受信機（ＴＸ／ＲＸ）５１０、変調器（ＭＯＤ）５３０、スケジューラ（ＳＣＨ）５４０、取得器（ＡＣＱ）５２１、決定器（ＤＥＴ）５２２、及び拡張器（ＥＸＰ）５２３を更に含みうる。その１つ以上が、コントローラ５２０に含まれうるか、又はコントローラ５２０と関連付けられうる。
【００９７】
当該コントローラは、ＷＵＲの最大周波数誤差のインジケーションの取得、最大周波数誤差に基づく非データ送信帯域幅の決定、及び非データ送信帯域幅以下のＷＵＳ送信帯域幅を介したＷＵＳの送信を行わせる（図４の方法４００−ステップ４２０，４３０，４４０と比較）ように構成されている。
【００９８】
インジケーションの取得は、取得器５２１及び／又は送受信機５１０によって実行されうる。
【００９９】
非データ送信帯域幅の決定（適用される場合、最も大きい最大周波数誤差の選択を含む。図４のステップ４３１，４３２と比較）は、決定器５２２によって実行されうる。
【０１００】
ＷＵＳの送信は、送受信機５１０によって実行されうる。ＷＵＳの送信は、データと同時であってもなくてもよい（図４のステップ４４０，４４５，４４６，４４７と比較）。送信用の信号は、例えば、データ、ＷＵＳ、および（おそらく）ガードバンドが、上記で詳述したように、スケジューラ５４０によって様々なＲＵ／サブキャリア／入力タップに割り当てられるＩＦＦＴを使用して、変調器５３０によって生成されうる。ＷＵＳの任意の拡張（図４のステップ４４１，４４２と比較）は、拡張器５２３及び／又はスケジューラ５４０によって処理されうる。
【０１０１】
装置６００は、コントローラ（ＣＮＴＲ）６２０を含む。当該装置は、送受信機（ＴＸ／ＲＸ）６１０を更に含んでもよいし、又は当該送受信機に関連付けられてもよい。当該コントローラは、ＷＵＲの最大周波数誤差を示すメッセージのネットワークノードへの（送受信機６１０による）送信、及びネットワークノードからのＷＵＳの（送受信機６１０による）受信を行わせる（図４の方法ステップ４６１，４７０と比較）ように構成されている。
【０１０２】
記載された実施形態及びそれらの均等物は、ソフトウェア又はハードウェア又はそれらの組み合わせで実現されうる。それらは、デジタル信号プロセッサ（ＤＳＰ）、中央処理装置（ＣＰＵ）、コプロセッサユニット、フィールドプログラマブルゲートアレイ（ＦＰＧＡ）若しくはその他のプログラム可能なハードウェア等の通信デバイスに関連付けられた若しくは通信デバイスに不可欠な汎用回路によって、又は特定用途向け集積回路（ＡＳＩＣ）等の専用回路によって実行されうる。そのような形態は全て、本開示の範囲内にあると考えられる。
【０１０３】
実施形態は、当該実施形態のいずれかによる装置／回路／ロジック又は実行方法を含む電子装置（無線通信デバイス又はネットワークノード等）内に現れてもよい。
【０１０４】
いくつかの実施形態によれば、コンピュータプログラムプロダクトは、例えば、ＵＳＢスティック、プラグインカード、組み込みドライブ、又は図７に示されるＣＤ−ＲＯＭ７００等の読み取り専用メモリ（ＲＯＭ）といったコンピュータ読み取り可能媒体を含む。コンピュータ読み取り可能媒体は、プログラム命令を含むコンピュータプログラムを格納していてもよい。コンピュータプログラムは、例えば、無線通信デバイス又はネットワークノード７１０に含まれうるデータ処理ユニット（ＰＲＯＣ）７２０にロード可能であってもよい。コンピュータプログラムは、データ処理ユニットにロードされると、当該データ処理ユニットに関連付けられた、又は当該データ処理ユニットに不可欠なメモリ（ＭＥＭ）７３０に格納されてもよい。いくつかの実施形態によれば、コンピュータプログラムは、データ処理ユニットにロードされて実行されると、例えば図４に示される方法に従って、方法のステップの実行を生じさせうる。
【０１０５】
本明細書では様々な実施形態が参照されている。しかし、当業者は、請求項の範囲内にある、記載された実施形態に対する多数のバリエーションを認識するであろう。例えば、本明細書に記載の実施形態は、特定の順序で実行される方法のステップを通じて例示的な方法を述べている。しかし、これらの一連のイベントは、請求項から逸脱することなく別の順序で発生しうることが認識される。更に、いくつかの方法ステップは、順番に実行されるものとして記載されていたとしても、並行して実行される場合がある。
【０１０６】
同様に、実施形態の記載において、機能ブロックの特定のユニットへの分割は決して限定的ではないことに留意されたい。反対に、これらの分割は例にすぎない。本明細書で１つのユニットとして記載された機能ブロックが、２つ以上のユニットに分割されてもよい。同様に、本明細書で２つ以上のユニットとして実装されるとして記載された機能ブロックが、請求項から逸脱することなく単一のユニットとして実装されてもよい。
【０１０７】
したがって、記載された実施形態の詳細は、単に例示目的のためであり、決して限定するものではないことを理解されたい。代わりに、請求項の範囲内にあるあらゆるバリエーションは、請求項の範囲内に含まれることが意図されている。
【図１】
0006786727.tif 000002
【図２】
0006786727.tif 000003
【図３】
0006786727.tif 000004
【図４】
0006786727.tif 000005
【図５】
0006786727.tif 000006
【図６】
0006786727.tif 000007
【図７】
0006786727.tif 000008